(57)【要約】【課題】給湯可能湯量を操作者が容易に了知することができる技術を提供する。【解決手段】所定温度に沸上げられる湯の貯湯量と当該湯と混合される水の水温とに応じて定まる給湯可能湯量を記憶部が記憶する。報知部１２には貯湯式給湯装置の沸上げモードとともに当該モードを設定したときの給湯可能湯量を表示する。【選択図】図３
2010276327.tif 000002
【特許請求の範囲】
【請求項１】
温度情報（Ｔａ，Ｔｗ）を入力し、給湯可能な湯量の範囲である給湯可能範囲の上限及び下限を、前記温度情報に基づいて設定する設定部（３２）と、
前記給湯可能範囲を報知する報知部（１２）と
を備える、給湯量報知装置（１０）。
【請求項２】
前記設定部は、前記上限及び下限を、前記温度情報が示す温度が高いほど多く設定する、
請求項１記載の給湯量報知装置（１０）。
【請求項３】
前記報知部（１２）は、前記給湯可能範囲内の湯量のみを報知する、
請求項１又は請求項２記載の給湯量報知装置（１０）。
【請求項４】
前記報知部（１２）は、前記上限及び下限のみを報知する、
請求項１又は請求項２記載の給湯量報知装置（１０）。
【請求項５】
前記報知部（１２）は、前記給湯可能範囲の内外を区別して表示する、
請求項１又は請求項２記載の給湯量報知装置（１０）。
【請求項６】
予め定められた温度に沸上げられた湯を貯湯タンク（２２）と、
前記貯湯タンク内に貯湯された湯と水とを混合する混合部（２４）と、
前記水の温度（Ｔｗ）及び／又は外気温度（Ｔａ）を検出する温度センサ（２６，２８）と、
前記温度情報を前記温度センサから入力する請求項１ないし請求項５のいずれか１つに記載の給湯量報知装置（１０）と
を備え、
前記混合部から給湯する貯湯式給湯装置（１００）。
【請求項７】
請求項１ないし請求項５のいずれか１つに記載の給湯量報知装置（１０）と、
給湯量を入力する操作部（１４）と、
前記操作部に入力された前記給湯量が前記給湯可能範囲にあるか否かを判断する判断部（３４）と、
前記判断部の判断結果が肯定的である場合に、前記給湯量に応じたモードで沸上げ運転をして貯湯する貯湯装置（２０，２２）と、
前記貯湯された湯と水とを混合して給湯する給湯装置（２４，４６）と
を備える、貯湯式給湯装置（１００）。
【発明の詳細な説明】
【技術分野】
【０００１】
本発明は、給湯量報知装置に関し、特に貯湯式給湯装置の沸上げ湯量を報知する機能に関するものである。
【背景技術】
【０００２】
深夜電力を利用して水を沸上げてタンクに貯湯し、温水利用に資する貯湯式給湯装置が実用化されている。係る技術については例えば、下掲の特許文献１、特許文献２等に開示されている。
【先行技術文献】
【特許文献】
【０００３】
【特許文献１】特開２００６−０４６７１３号公報
【特許文献２】特開２００７−２１２０６３号公報
【発明の概要】
【発明が解決しようとする課題】
【０００４】
上記特許文献１等に開示されているような貯湯式給湯装置は、高温に沸上げて一定量が貯められた湯を水道水と混合することによって、操作者が設定する温度の湯を給湯する。したがって、給湯温度を一定とすると、季節によって、及び／又は混合される水道水の温度によって、給湯可能な湯量（以下、「給湯可能湯量」とも称する）は異なる。また、タンクは普通、屋外に設置されることが多いため、外気温度が高い場合には当該タンクからの放熱は少なく、外気温度が低い場合には当該タンクからの放熱は多い。つまり、給湯温度が一定でかつ、当該タンクに貯湯する湯の沸上げ量が一定であるとき、冬（水道水温度や外気温度が低いとき）における給湯可能湯量は、夏（水道水温度や外気温度が高いとき）における給湯可能湯量よりも少ない。
【０００５】
上述のとおり、当該貯湯式給湯装置は夜間の深夜電力を利用して水を沸上げるので、翌日の給湯量（使用量）を予測した貯湯量を沸上げる必要がある。水を沸上げてタンクに貯湯する湯量（以下、「貯湯量」とも称する）と給湯可能湯量とは、水道水温が同じであればおおむね比例するからである。よってこれまでは、湯の沸上げに際して操作者が設定する項目は、貯湯量に関する指標であった。しかも、当該指標の設定は、例えば貯湯タンクの大きさを基準として「目盛り１」、「目盛り２」、…というような漠然とした選択肢から選択して行われていた。
【０００６】
図１３は貯湯量の指標（ここでは「目盛り」）と給湯可能湯量との対応関係の概略を示す図である。上述のような漠然とした貯湯量の指標から、実際の給湯可能湯量の目安を操作者が知るには、取扱説明書等に掲載されている図１３のような表を参照する必要があった。また、当該表を参照する場合には、その時点での季節（より具体的には大まかな水道水温度や外気温度）を操作者が判断する必要があった。操作者は、真夏や真冬の場合には容易に季節を判断できるが、真夏であっても例外的に肌寒い日や、真冬であっても例外的に暖かい日、又は中間期等の場合には季節の判断が困難であるという課題がある。また、上述のようにタンクからの放熱を考慮すると、操作者が設定する項目は漠然とした指標よりも明確な指標とすることが望ましい。
【０００７】
本発明は、上記課題に鑑み、給湯可能湯量を操作者が容易に了知することができる技術を提供することを目的とする。
【課題を解決するための手段】
【０００８】
上記課題を解決すべく、本発明に係る給湯量報知装置の第１の態様は、温度情報（Ｔａ，Ｔｗ）を入力し、給湯可能な湯量の範囲である給湯可能範囲の上限及び下限を、前記温度情報に基づいて設定する設定部と、前記給湯可能範囲を報知する報知部（１２）とを備える、給湯量報知装置（１０）である。
【０００９】
本発明に係る給湯量報知装置の第２の態様は、その第１の態様であって、前記設定部は、前記上限及び下限を、前記温度情報が示す温度が高いほど多く設定する。
【００１０】
本発明に係る給湯量報知装置の第３の態様は、その第１又は第２の態様であって、前記報知部（１２）は、前記給湯可能範囲内の湯量のみを報知する。
【００１１】
本発明に係る給湯量報知装置の第４の態様は、その第１又は第２の態様であって、前記報知部（１２）は、前記上限及び下限のみを報知する。
【００１２】
本発明に係る給湯量報知装置の第５の態様は、その第１又は第２の態様であって、前記報知部（１２）は、前記給湯可能範囲の内外を区別して表示する。
【００１３】
本発明に係る貯湯式給湯装置の第１の態様は、予め定められた温度に沸上げられた湯を貯湯タンク（２２）と、前記貯湯タンク内に貯湯された湯と水とを混合する混合部（２４）と、前記水の温度（Ｔｗ）及び／又は外気温度（Ｔａ）を検出する温度センサ（２６，２８）と、前記温度情報を前記温度センサから入力する第１の態様ないし第５の態様のいずれか１つに記載の給湯量報知装置（１０）とを備え、前記混合部から給湯する貯湯式給湯装置（１００）である。
【００１４】
本発明に係る貯湯式給湯装置の第２の態様は、第１の態様ないし第５の態様のいずれか１つに記載の給湯量報知装置（１０）と、給湯量を入力する操作部（１４）と、前記操作部に入力された前記給湯量が前記給湯可能範囲にあるか否かを判断する判断部（３４）と、前記判断部の判断結果が肯定的である場合に、前記給湯量に応じたモードで沸上げ運転をして貯湯する貯湯装置（２０，２２）と、前記貯湯された湯と水とを混合して給湯する給湯装置（２４，４６）とを備える、貯湯式給湯装置（１００）である。
【発明の効果】
【００１５】
本発明に係る給湯量報知装置の第１の態様によれば、温度情報として、例えば外気温度を採用すれば季節によって、例えば予め準備された湯と水とを混合して給湯する場合における水温を採用すれば水温によって、それぞれ変動する給湯可能範囲を容易に、視覚的あるいは聴覚的等で、操作者が了知することができる。
【００１６】
本発明に係る給湯量報知装置の第２の態様によれば、温度情報が高いほど、給湯可能範囲の上限及び下限が高く設定されるので、給湯装置に適用しやすい。
【００１７】
本発明に係る給湯量報知装置の第３の態様によれば、報知される情報が給湯可能範囲内の湯量に限定されるので、より容易に操作者が了知することができる。
【００１８】
本発明に係る給湯量報知装置の第４の態様によれば、操作者が容易に、給湯可能範囲の上限及び下限を了知することができる。
【００１９】
本発明に係る給湯量報知装置の第５の態様によれば、入力される温度情報に応じて給湯可能範囲が変動することを操作者が了知することができる。
【００２０】
本発明に係る貯湯式給湯装置の第１の態様によれば、水温及び／又は外気温によって変動する給湯可能範囲を容易に、視覚的あるいは聴覚的等で、操作者が了知することができる。
【００２１】
本発明に係る貯湯式給湯装置の第２の態様によれば、操作者が給湯量（例えばリッター数）を入力することができるので、容易に操作できる。
【図面の簡単な説明】
【００２２】
【図１】本発明の実施形態に係る給湯量報知装置及び、貯湯式給湯装置の配管系統を例示する図である。
【図２】給湯量報知装置と貯湯式給湯装置の一部とを例示するブロック図である。
【図３】リモコンの概観を例示する図である。
【図４】記憶部が記憶するテーブルを例示する図である。
【図５】実施例１に係る貯湯式給湯装置の動作を示すフローチャートである。
【図６】季節の決定に係る処理のフローチャートである。
【図７】沸上げ量の設定に係る処理のフローチャートである。
【図８】沸上げモードの決定に係る処理のフローチャートである。
【図９】実施例２に係るリモコンの動作を示すフローチャートである。
【図１０】沸上げモードの決定に係る処理のフローチャートである。
【図１１】報知部の表示内容を例示する図である。
【図１２】報知部の表示内容を例示する図である。
【図１３】貯湯量と給湯可能湯量との対応関係の概略を例示する図である。
【発明を実施するための形態】
【００２３】
以下、本発明の好適な実施形態について、図面を参照しながら説明する。なお、図１を初めとする以下の図には、本発明に関係する要素のみを示している。
【実施例１】
【００２４】
〈貯湯式給湯装置の構成〉
図１に示すように、本発明に係る貯湯式給湯装置１００は例えば、ヒートポンプユニット２０と、ヒートポンプユニット２０で予め定められた温度に沸上げられた湯を貯湯する貯湯タンク２２と、貯湯タンク２２内に貯湯された湯と水道水とを混合する混合部２４と、水道水の温度を検出する温度センサ２６と、制御部３０と、給湯量報知装置１０とを備えている。
【００２５】
貯湯タンク２２とヒートポンプユニット２０とは、貯湯タンク２２の底部からヒートポンプユニット２０へと水を導く往路管４１ａと、ヒートポンプユニット２０から貯湯タンク２２の上部に湯を戻す復路管４１ｂと、ヒートポンプユニット２０から貯湯タンク２２の底部に水を戻すバイパス管４１ｃとにより接続されている。往路管４１ａ上には排水用三方弁４２及び循環ポンプ４３が設けられている。なお、復路管４１ｂとバイパス管４１ｃとは三方弁４４によって切替えられる。また、往路管４１ａのうち、例えばヒートポンプユニット２０の入口直前には、入水サーミスタ４１ｔが設けられている。
【００２６】
入水サーミスタ４１ｔは、ヒートポンプユニット２０に入っていく水の温度を測定して制御部３０へと伝達する。制御部３０は、入水サーミスタ４１ｔで測定された水温に基づいて、ヒートポンプユニット２０を制御する。具体的には制御部３０は、沸上げ運転中に、入水サーミスタ４１ｔで測定された水温が所定温度（例えば夏であれば摂氏５０度、冬であれば摂氏６０度）に達したときに、ヒートポンプユニット２０での沸上げ（加熱）を停止し、沸上げが完了したものと判断する。なお、ヒートポンプユニット２０での沸上げ停止の判断に資する所定温度の設定、ひいては当該所定温度の設定に資する季節の設定については後述する。
【００２７】
貯湯タンク２２の側壁には、底部から上部に向かう縦方向に予め定められた間隔を空けて複数（図１においては６個）のサーミスタ２１ａ〜２１ｆが設けられている。ここで、貯湯タンク２２の上部から底部へと向けて、第１サーミスタ２１ａ、第２サーミスタ２１ｂ、第３サーミスタ２１ｃ、第４サーミスタ２１ｄ、第５サーミスタ２１ｅ、第６サーミスタ２１ｆとする。第１サーミスタ２１ａは、ヒートポンプユニット２０から復路管４１ｂを経由して貯湯タンク２２に戻された湯の温度を測定する。第２サーミスタ２１ｂから第５サーミスタ２１ｅは主に貯湯タンク２２内に貯められた湯の熱量（以下、「貯湯量」とも称する）Ｑｓを測定するために供される。
【００２８】
貯湯量Ｑｓの測定について具体例を挙げて説明する。いま、第２サーミスタ２１ｂが摂氏８５度、第３サーミスタ２１ｃが摂氏７０度、第４サーミスタ２１ｄが摂氏６０度、第５サーミスタ２１ｅが摂氏４２度未満であるとする。また、貯湯タンク２２内の体積について、第２サーミスタ２１ｂと第３サーミスタ２１ｃとの間の体積を体積Ｖ１、第３サーミスタ２１ｃと第４サーミスタ２１ｄとの間の体積を体積Ｖ２、第４サーミスタ２１ｄと第５サーミスタ２１ｅとの間の体積を体積Ｖ３、第５サーミスタ２１ｅと第６サーミスタ２１ｆとの間の体積を体積Ｖ４、第６サーミスタ２１ｆと底部との間の体積を体積Ｖ５とする。
【００２９】
本実施例において、湯温が摂氏４２度未満のときは熱量がゼロカロリとし、貯湯タンク２２内の温度勾配が一様であると仮定すると、体積Ｖｎ（ｎ＝１，２，３）の熱量Ｑｎは次のようにして求めることができる。すなわち、熱量Ｑｎ＝体積Ｖｎの平均温度×体積Ｖｎ。体積Ｖｎの平均温度を（高温＋低温）÷２で得るとき、各熱量Ｑｎはそれぞれ、体積Ｖ１の熱量Ｑ１＝摂氏（（８５＋７０）／２）度×Ｖ１、体積Ｖ２の熱量Ｑ２＝摂氏（（７０＋６０）／２）度×Ｖ２、体積Ｖ３の熱量Ｑ３＝摂氏（（６０＋４２）／２）度×Ｖ３となるので、貯湯量（全熱量）Ｑｓ＝Ｑ１＋Ｑ２＋Ｑ３で得られる。
【００３０】
貯湯量Ｑｓは、第２サーミスタ２１ｂ〜第６サーミスタ２１ｆ及び入水サーミスタ４１ｔでの測定温度に基づいて常時計測可能である。そのため、沸上げ運転中であっても貯湯量Ｑｓを計測し、貯湯量Ｑｓがユーザの所望する所望量に達したか又は、入水サーミスタ４１ｔが所定温度に到達した場合に、制御部３０はヒートポンプユニット２０での沸上げを停止する。
【００３１】
なお、上述のような貯湯量Ｑｓの算出を簡略すると、貯湯量Ｑｓ＝摂氏（（貯湯タンク２２内の高温側温度＋同低温側温度）／２）度×（貯湯タンク２２の容積）として求めることができる。ここで、本実施形態においては熱量の単位として便宜的にカロリを採用しているが、他の単位であっても良いのはもちろんである。
【００３２】
本実施形態における貯湯式給湯装置１００は２つの給水箇所を有している。一の給水箇所は貯湯タンク２２であり、他の給水箇所は混合部２４である。給水源に接続された給水管４５には減圧弁４６を介して第１給水管４５ａ及び第２給水管４５ｂが接続されている。減圧弁４６は第１給水管４５ａ及び第２給水管４５ｂへの給水圧力を調整する。具体例を挙げれば、貯湯タンク２２内の湯量が減少すると減圧弁４６の第１給水管４５ａ側が開いて貯湯タンク２２内に給水する。また、混合部２４が混合を開始すると減圧弁４６の第２給水管４５ｂ側が開いて混合部２４に給水する。
【００３３】
また、貯湯タンク２２の上部には貯湯タンク２２内に貯湯された湯を給湯するための給湯管４７が接続されている。給湯管４７の途中には混合部２４を介して第２給水管４５ｂが接続されている。混合部２４は、第２給水管４５ｂからの水と、給湯管４７からの湯とを任意の比率で混合する。水と湯との混合比率は、操作者が給湯量報知装置（リモコン）１０で設定する温度（以下、「給湯温度」とも称する）によって定められる。なお、本実施形態においては貯湯タンク２２への給水と、混合部２４への給水とを減圧弁４６を用いて一の給水管４５で行っているが、それぞれに個別の給水管を接続しても良い。また、混合部２４で混合された湯の給湯先（給湯端末）は、キッチン、シャワー、浴槽等を含む。
【００３４】
温度センサ２６は例えば、第２給水管４５ｂに設けられて、水道水の水温Ｔｗを検知して制御部３０に伝達する。温度センサ２６は給水管４５や第１給水管４５ａに設けられても良い。給水管４５、第１給水管４５ａ、第２給水管４５ｂには加熱や熱交換が施されないため、これらの間で水温Ｔｗはほとんど異ならないと考えられるからである。
【００３５】
図２及び図３に示すように、給湯量報知装置たるリモコン１０には報知部１２と操作部１４とが備えられている。報知部１２は給湯可能範囲を報知するほか、貯湯式給湯装置１００の運転状況、操作部１４からの入力内容等を報知する。また、操作部１４は操作者の操作入力を受付ける。
【００３６】
具体例を挙げれば、報知部１２はＬＣＤ等の表示デバイスが採用されて、制御部３０の制御下で各種の表示を行う。また、操作部１４は給湯量を段階的に増加（又は減少）させる入力を受付けるほか、貯湯式給湯装置１００を操作するために必要な電源のＯＮ／ＯＦＦ、各種機能の実行命令等を受付けるメカニカルスイッチが採用される。
【００３７】
なお、本実施形態においては、報知部１２は例えばＬＣＤ等の表示デバイスを採用し、操作者が報知内容を視覚的に了知する態様について説明するが、報知部１２として音声出力デバイスを採用して操作者が報知内容を聴覚的に了知するようにしても良い。あるいは、報知部１２として点字ピンディスプレイ等を採用して操作者が報知内容を触覚的に了知するようにしても良い。また、報知部１２にタッチパネルディスプレイを適用して、操作部１４の一部又は全部の機能を兼ね備えるようにしても良い。例えば図３においては報知部１２の下段に示されている［−］、［＋］、［ＯＫ］をタッチパネルディスプレイによって実現している。
【００３８】
また、制御部３０は、温度センサ２６から伝達される水温Ｔｗに基づいて給湯可能湯量Ｑａの範囲、すなわち給湯可能湯量Ｑａの上限及び下限を設定する設定部３２と、操作部１４に入力された給湯量が設定部３２で設定された給湯可能湯量Ｑａの範囲内にあるか否かを判断する判断部３４とを備えている。設定部３２は記憶部３２ａ及び演算部３２ｂを有している。
【００３９】
図４に示すように、記憶部３２ａは例えば、不揮発メモリが適用され、貯湯タンク２２内に所定温度（例えば摂氏６５，７０，７５，８５度の４パターン）で沸上げられる湯の貯湯量Ｑｓと水温Ｔｗとに応じた、給湯温度が摂氏４２度のときの給湯可能湯量Ｑａを示すテーブルを記憶している。例えば、貯湯タンク２２の容量が３７０Ｌのとき、操作者が入力する目盛り１〜４は、それぞれ貯湯量Ｑｓが摂氏（（６５＋５０）／２）度×３７０Ｌ＝Ｑｓ１，摂氏（（７０＋５０）／２）度×３７０Ｌ＝Ｑｓ２，摂氏（（７５＋５０）／２）度×３７０Ｌ＝Ｑｓ３，摂氏（（８５＋５０）／２）度×３７０Ｌ＝Ｑｓ４に対応している。なお、貯湯タンク２２の容量の単位は必ずしもリットル（Ｌ）である必要はない。
【００４０】
記憶部３２ａは、これらの貯湯量Ｑｓに対して例えば、水温Ｔｗが摂氏１５度未満のときの給湯可能湯量Ｑａが、６５０Ｌ，８５０Ｌ，１０５０Ｌ，１２５０Ｌから選択可能であることを記憶している。また、水温Ｔｗが摂氏１５度以上、２０度未満のときの給湯可能湯量Ｑａが、８００Ｌ，１０５０Ｌ，１３００Ｌ，１５５０Ｌから選択可能であることを記憶している。また、水温Ｔｗが摂氏２０度以上のときの給湯可能湯量Ｑａが、１０００Ｌ，１３５０Ｌ，１７００Ｌ，２０５０Ｌから選択可能であることを記憶している。つまり、水温Ｔｗが高いほど給湯可能湯量Ｑａは、その上限値及び下限値が共に多くなる。
【００４１】
給湯温度が摂氏４２度程度であれば、記憶部３２ａが記憶しているテーブルを呼び出すことで、貯湯量Ｑｓに対する給湯可能湯量Ｑａを容易に得ることができる。あるいは例えば温水プールのように摂氏２５度ないし３０度で給湯する場合には、記憶部３２ａが記憶しているテーブルに基づいて演算部３２ｂが演算を行い、給湯可能湯量Ｑａを得ても良い。なお、演算部３２ｂは例えば、ＲＯＭ等の記憶手段（図示省略）に記憶されたプログラムに基づいて処理を行う。
【００４２】
〈貯湯式給湯装置の動作〉
図５に示すように、貯湯式給湯装置１００では、操作者による給湯量指示の開始を操作部１４が受付けると、設定部３２が季節の決定を行い、当該季節に応じた給湯可能湯量Ｑａを報知部１２に表示して給湯可能湯量Ｑａの入力を受付ける（ステップＳ１１〜Ｓ１３）。操作者が報知部１２に離散的に表示された複数の給湯可能湯量Ｑａから所望の給湯量として給湯可能湯量Ｑａを選択すると、当該給湯可能湯量Ｑａに応じた貯湯量Ｑｓを沸上げるのに適した沸上げモードｎ（ｎは１以上の整数）を決定し、当該沸上げモードｎで沸上げを行う（ステップＳ１４，Ｓ１５）。なお、操作者が給湯可能湯量Ｑａの範囲内で任意の給湯量を入力するようにしても良い。
【００４３】
図６に示すように、季節の決定は水温Ｔｗが摂氏１５度未満であれば冬とし（ステップＳ１２１〜Ｓ１２３）、水温Ｔｗが摂氏１５度以上２０度未満であれば春・秋とし（ステップＳ１２４，Ｓ１２５）、水温Ｔｗが摂氏２０度以上であれば夏とする（ステップＳ１２６，Ｓ１２７）。なお、ステップＳ１２６は省略し、ステップＳ１２４の判断結果が否定的であればステップＳ１２７を実行するフローを採用することができる。
【００４４】
貯湯式給湯装置１００の沸上げ運転をモード１〜モード４の４段階に区分し、さらに沸上げ量Ｑ（０）が０Ｌ（ゼロリットル）であるモード０を仮想的に設定する。図７に示すように、報知部１２に表示する給湯可能湯量Ｑａ（ｎ）は各季節で次のように設定して報知部１２に表示する（ここで、ｎ＝１，２，３，４）。すなわち、季節が冬であればＱａ（１）＝６５０Ｌ，Ｑａ（２）＝８５０Ｌ，Ｑａ（３）＝１０５０Ｌ，Ｑａ（４）＝１２５０Ｌとする（ステップＳ１３１，Ｓ１３２）。季節が夏であればＱａ（１）＝１０００Ｌ，Ｑａ（２）＝１３５０Ｌ，Ｑａ（３）＝１７００Ｌ，Ｑａ（４）＝２０５０Ｌとする（ステップＳ１３３，Ｓ１３４）。季節が春・秋であればＱａ（１）＝８００Ｌ，Ｑａ（２）＝１０５０Ｌ，Ｑａ（３）＝１３００Ｌ，Ｑａ（４）＝１５５０Ｌとする（ステップＳ１３５，Ｓ１３６）。
【００４５】
上述のような処理を行うことによって例えば図３のような表示を行う。すなわち、季節が春・秋の場合には給湯可能湯量Ｑａ（ｎ）としてＱａ（１）＝８００Ｌ，Ｑａ（２）＝１０５０Ｌ，Ｑａ（３）＝１３００Ｌ，Ｑａ（４）＝１５５０Ｌのそれぞれのみを表示し、操作者はそれらの具体的な数値を選択するだけで沸上げモードを決定できる。また、操作者が選択している給湯可能湯量Ｑａを、選択していない給湯可能湯量Ｑａよりもやや大きく表示する等しても良い。図３では１３００Ｌが選択されて、８００Ｌ，１０５０Ｌ，１５５０Ｌよりも大きく表示されている場合を例示している。
【００４６】
ステップＳ１３において、操作者が報知部１２に離散的に表示された複数の給湯可能湯量Ｑａから所望の給湯量として給湯可能湯量Ｑａを選択したのではなく、操作者が給湯可能湯量Ｑａの範囲内で任意の給湯量を入力した場合には、次のような処理を実行する。
【００４７】
すなわち、図８に示すように、沸上げモードｎの決定は給湯可能湯量Ｑａ（０）＝０Ｌ〜Ｑａ（４）の範囲でモード（ｉ）（ｉは１以上、ｎ以下の整数）を１段階ずつ上げていき、操作者が設定する所望の給湯量Ｑｓが、モード（ｉ−１）での給湯可能湯量Ｑａ（ｉ−１）とモード（ｉ）での給湯可能湯量Ｑａ（ｉ）との間にあるか否かを判断する（ステップＳ１４１〜Ｓ１４３）。操作者が設定した給湯可能湯量Ｑａが給湯可能湯量Ｑａ（ｉ−１）と給湯可能湯量Ｑａ（ｉ）との間にあれば、そのときのモード（ｉ）を沸上げモードｎとして決定する（ステップＳ１４４）。一方、操作者が設定した給湯可能湯量Ｑａが給湯可能湯量Ｑａ（ｉ−１）と給湯可能湯量Ｑａ（ｉ）との間になければモード（ｉ）を１段階上げて、モード（ｉ）がモード（４）になるまで同様の判断を行って沸上げモードｎを決定する（ステップＳ１４５〜Ｓ１４７）。
【００４８】
このように温度情報として、沸上げられた湯に混合される水の水温Ｔｗを採用すれば、水温Ｔｗに応じて変動する給湯可能湯量Ｑａの範囲を容易に、視覚的あるいは聴覚的等で、操作者が了知することができる。また、水温Ｔｗが高いほど、給湯可能湯量の範囲の上限及び下限が高く設定されるので、貯湯式給湯装置１００に適用しやすい。
【実施例２】
【００４９】
〈給湯可能範囲外が選択されようとした場合〉
上記実施例１では、操作者が給湯可能湯量Ｑａ（４）よりも多い給湯可能湯量Ｑａを設定しようとした場合には、リモコン１０は報知部１２の表示内容としては当該給湯可能湯量Ｑａを反映させず、制御部３０は沸上げモードを強制的に沸上げモード（４）に決定しているが、本発明はこれに限定されるものではない。例えば、操作者が設定しようとする給湯可能湯量Ｑａに対応する沸上げモードｎが、季節を判断した場合に不適である場合には、報知部１２での表示を次のようにすることもできる。なお、上記実施例１と同様の処理を実行する工程については、上記実施例１で用いた符号と同一の符号を付してその説明を省略する。
【００５０】
図９に示すように、実施例２に係る処理動作は、上記実施例１の図５で示したステップＳ１３とステップＳ１５との間にステップＳ２４〜Ｓ２６を挿入した処理を行う。具体的には、沸上げモードの決定（ステップＳ２４）を以下のように行う。
【００５１】
図１０に示すように、実施例２に係る処理動作は、上記実施例１の図８で示したステップＳ１４７をステップＳ２４７に置換した処理となっている。操作者が設定した給湯可能湯量Ｑａが給湯可能湯量Ｑａ（ｉ−１）と給湯可能湯量Ｑａ（ｉ）との間になければモード（ｉ）を１段階上げて、モード（ｉ）がモード４になるまで同様の判断を行って沸上げモードｎの決定を図る（ステップＳ１４１〜Ｓ１４６）。モード（４）になっても操作者が設定した給湯可能湯量Ｑａが給湯可能湯量Ｑａ（ｉ−１）と給湯可能湯量Ｑａ（ｉ）との間になければ、制御部３０はモードｎを無効と判断する（ステップＳ２４７）。
【００５２】
ステップＳ２４７においてモードｎが無効と判断されると、図９のステップＳ２５においてＹｅｓを選択して報知部１２に「受付できません」と表示する（ステップＳ２６）。これは例えば季節に応じた給湯可能湯量Ｑａの上限を超える給湯可能湯量を操作者が入力しようとしたときに、入力内容の検討を促すことに資する。
【００５３】
以上、本発明の好適な態様について説明したが、本発明はこれに限定されるものではない。例えば、図３では操作時の季節における給湯可能湯量Ｑａを全て並べて表示しているが、図１１に示すように操作時の季節における給湯可能湯量Ｑａの上限１３ａ及び下限１３ｂのみを表示するようにしても良い。また、例えば、図１２に示すように記憶部３２ａが記憶している季節ごとの給湯可能湯量Ｑａの全ての一覧１３ｃを表示し、水温Ｔｗに応じて、受付可能な給湯可能湯量Ｑａと受付不可能な給湯可能湯量Ｑａとを区別して表示するようにしても良い。
【００５４】
図１２においては、冬及び夏の給湯可能湯量Ｑａに網掛処理を施して表示することによって、春・秋以外の給湯可能湯量Ｑａの受付が不可能であることを操作者に了知させる態様を示している。そして、操作者が（タッチパネルディスプレイによって実現される）操作部１４を操作すると、報知部１２はモードｎに対応する目盛りを変化させるとともに、当該モードｎにおける給湯可能湯量Ｑａに囲み処理を施して表示する。
【００５５】
〈変形例〉
また、上記実施例では季節の決定に際して、水温Ｔｗのみを用いていたが、外気温度によって貯湯タンク２２からの放熱量は変化する。つまり、深夜に沸上げた湯を翌早朝以降に使用することを想定しているために、貯湯タンク２２内に沸上げられ貯められた湯は、外気温が高いときよりも外気温が低いときの方が冷めやすい。したがって、適宜に温度センサ２８（図１参照）を設けて外気温Ｔａを検知し、水温Ｔｗ及び／又は外気温Ｔａに基づいて季節を決定するようにしても良い。具体的には、水温Ｔｗ及び外気温Ｔａのうち少なくともいずれか一方を用いて、図４に示したような給湯可能湯量Ｑａを示すテーブルを呼び出すようにしても良い。ただし、外気温Ｔａから季節を判断する場合には、水温Ｔｗから季節を判断する場合の基準値（本実施形態では摂氏１５，２０度）と異なる基準値を採用しても良い。
【００５６】
上記実施例で説明した給湯量報知装置は貯湯式給湯装置とは個別に取付けることができる。
【符号の説明】
【００５７】
１００  貯湯式給湯装置
１０  リモコン
１２  報知部
１４  操作部
２０  ヒートポンプユニット
２２  貯湯タンク
２４  混合部
２６  温度センサ
３２  設定部
３４  判断部
Ｔａ  外気温
Ｔｗ  水温
【図１】
2010276327.tif 000003
【図２】
2010276327.tif 000004
【図３】
2010276327.tif 000005
【図４】
2010276327.tif 000006
【図５】
2010276327.tif 000007
【図６】
2010276327.tif 000008
【図７】
2010276327.tif 000009
【図８】
2010276327.tif 000010
【図９】
2010276327.tif 000011
【図１０】
2010276327.tif 000012
【図１１】
2010276327.tif 000013
【図１２】
2010276327.tif 000014
【図１３】
2010276327.tif 000015